(57)【要約】      （修正有）【課題】本考案は一種の虫駆除ライトを提供する。【解決手段】一種の虫駆除ライトは、短冊形のライト本体、及び、ライト本体の外部の透光カバー２を備える。透光カバーは、短冊形の黄色の管体である。ライト本体は、一端に呼吸器が設けられており、他端が線の接続に用いられている。ライト本体及び透光カバーの両端にはそれぞれ密封アセンブリ５、６が接続されている。本考案では、蚊などの虫が好きな紫光、青光を濾過して取り除くことで、蚊などの虫が嫌いな特定の波長の光を得て、蚊などの虫を駆除する効果を達する。【選択図】図１
0003215682.tif 000002
【実用新案登録請求の範囲】
【請求項１】
短冊形のライト本体、及び、ライト本体の外部の透光カバーを備え、
ライト本体には白い蛍光を発生するＬＥＤ発光ダイオードが設けられており、
透光カバーは、黄色の高分子濾光材料から作られており、
ライト本体は、一端に呼吸器が設けられており、他端が線の接続に用いられており、
ライト本体及び透光カバーの両端にはそれぞれ密封アセンブリが接続されていることを特徴とする一種の虫駆除ライト。
【請求項２】
ライト本体は、短冊形の放熱体、放熱体の両端に連結されている駆動装置、および放熱体に設置されているＬＥＤストリップを有し、
ＬＥＤストリップには複数のＬＥＤ発光ダイオードが設けられており、
放熱体は、中間が空芯となっており、三角柱状に類似する型材を構成し、
ＬＥＤストリップは、放熱体の異なる方向に向いている三つの側面にそれぞれ設置されており、
駆動装置は、駆動カバーを有し、駆動カバーが放熱体の両端に連結されていることを特徴とする請求項１に記載の一種の虫駆除ライト。
【請求項３】
線の接続に用いられているライト本体の他端に設けられている密封アセンブリは、防水密封カバー、端部蓋、防水シリコンシート、および端部蓋板を有し、
防水密封カバー、端部蓋、防水シリコンシート、および端部蓋板は、中心に貫通穴が設けられており、
線の端部は、貫通穴から貫通し、駆動カバー内に入り駆動装置と連結し、
貫通穴は、いずれも周辺にネジ穴が形成されており、
端部蓋は、ネジにより、防水密封カバーを駆動カバーの外部にロックし、
端部蓋板は、ネジにより、端部蓋に連結されており、
防水シリコンシートは、端部蓋と端部蓋板との間に挟まれていることを特徴とする請求項２に記載の一種の虫駆除ライト。
【請求項４】
駆動カバーは、両端が開口されている筒状であり、開口の周辺に沿って複数の突出する取付柱が設置されており、
防水密封カバーは、円周方向に沿って、取付柱を挿入可能な複数の取付穴が形成されており、防水密封カバーの周辺は、中間底面より突出する環状面が延伸しており、環状面と中間底面との間には透光カバーの縁部を挿入可能な環状凹部が一周形成されていることを特徴とする請求項３に記載の一種の虫駆除ライト。
【請求項５】
端部蓋の下半部は、防水密封カバーを完全に覆う腔体を構成し、
端部蓋の上半部は、頂部から開口する中心収容腔を中心に設置されており、
中心収容腔の底部は、線の端部が貫通可能な貫通穴が形成されており、
中心収容腔は、周辺に沿って内側に窪む小収容腔及び複数のネジ穴が形成されており、
小収容腔の底部は、下部の腔体と連通する貫通穴が形成されており、
セルフタッピンねじの下端は、小収容腔内から貫通穴を貫通し、防水密封カバーの取付穴を貫通し、駆動カバーの取付柱に連結されており、端部蓋、防水密封カバー、及び駆動カバーを互いに連結することを特徴とする請求項４に記載の一種の虫駆除ライト。
【請求項６】
防水シリコンシートは、シート体の中心に線端が貫通する貫通穴が形成されており、貫通穴の縁部に沿って、シート体の二つの方向に上側突出環及び下側突出環が延伸されており、シート体の周辺において下側突出環の突出方向と同じ方向に沿って三つの密封柱が延伸されており、シート体の周辺において複数のネジ穴が形成されており、
端部蓋板は、線端及び上側突出環が貫通するのに用いられる貫通穴が中心に設置されており、貫通穴の周囲に複数のネジ穴が形成されており、
ねじは、端部蓋板、防水シリコンシートのネジ穴を貫通し、端部蓋のネジ穴に連結されており、防水シリコンシートを端部蓋板と端部蓋との間に挟まれるよう固定することを特徴とする請求項５に記載の一種の虫駆除ライト。
【請求項７】
ライト本体の呼吸器が設けられている一端に装着されている密封アセンブリは、防水密封カバー、端部蓋、防水シリコンシート、端部蓋板、六角ネジ、及び密封リングを含み、
防水密封カバー、端部蓋、防水シリコンシート、および端部蓋板は、いずれも中心部に、六角ネジの下端部が通過可能な貫通穴が形成されており、貫通穴の周辺にネジ穴が形成されており、
六角ネジは、端部蓋板に設けられており、端部蓋板、防水シリコンシート、および端部蓋の中心の貫通穴を塞ぐことを特徴とする請求項６に記載の一種の虫駆除ライト。
【請求項８】
放熱体は、型材の三つのエッジの位置に、長手方向に延伸する貫通溝が形成されており、
貫通溝はネジにより駆動カバーと連結されていることを特徴とする請求項２に記載の一種の虫駆除ライト。
【請求項９】
透光カバーの内表面は、放熱体の三つのエッジと対応する位置に三組の突出リブが形成されており、各組の突出リブは、透光カバーの管体の長手方向に従って延伸する突出リブを二つ含み、
放熱体の貫通溝は、二つの突出リブの間に係止されていることを特徴とする請求項８に記載の一種の虫駆除ライト。
【請求項１０】
ライト本体は、内部にＰＣＢパネルおよび蓄電池が設けられており、
蓄電池は、外部の太陽エネルギパネルと連結されており、
ＰＣＢパネルは、ＬＥＤ発光ダイオードと連結されている駆動チップ、並びに、駆動チップと連結されているＭＣＵおよびＧＰＳモジュールが設けられており、
ＧＰＳモジュールは、アンテナを介して、ＧＰＳ航行衛星と遠隔通信を行うことを特徴とする請求項１に記載の一種の虫駆除ライト。
【考案の詳細な説明】
【技術分野】
【０００１】
本考案は、一種のライトに関し、詳しくは一種の虫駆除ライトに関する。
【背景技術】
【０００２】
農作物を植えるとき、普通、化学方法で蚊や虫を殺す。農作物の成長過程に虫害があるから、農家は農薬を散布することにより害虫を取り除く。しかし、農薬は農作物に残り、土壌を汚染し、もっと重要なのは化学農薬の長期使用は人間の健康に潜在的な悪影響を与える。現在の研究では、蚊、蛾などの複眼の害虫はある光に非常に敏感で好きであり、ある光が嫌いであることがわかった。害虫のこの特別な生理的特徴を利用し、特殊な光源材料を使い、害虫が嫌いな光を作り、駆虫の効果を実現する。本案は、上記の原理に基づいて提案したものである。
【考案の概要】
【考案が解決しようとする課題】
【０００３】
本考案の目的は、光をろ過することで蚊などの虫が避けたい所定波長の光を得ることで、蚊などの虫を駆除する一種の虫駆除ライトを提供する。
【課題を解決するための手段】
【０００４】
上述の目的を実現するために本考案による一種の虫駆除ライトは、短冊形のライト本体、及び、ライト本体の外部の透光カバーを備える。ライト本体には白い蛍光を発生するＬＥＤ発光ダイオードが設けられている。透光カバーは、黄色の高分子濾光材料から作られている。ライト本体は、一端に呼吸器が設けられており、他端が線の接続に用いられている。ライト本体及び透光カバーの両端にはそれぞれ密封アセンブリが接続されている。
【０００５】
ライト本体は、短冊形の放熱体、放熱体の両端に連結されている駆動装置、および放熱体に設置されているＬＥＤストリップを有する。ＬＥＤストリップには複数のＬＥＤ発光ダイオードが設けられている。放熱体は、中間が空芯となっており、三角柱状に類似する型材を構成する。ＬＥＤストリップは、放熱体の異なる方向に向いている三つの側面にそれぞれ設置されている。駆動装置は、駆動カバーを有し、駆動カバーが放熱体の両端に連結されている。
【０００６】
線の接続に用いられているライト本体の他端に設けられている密封アセンブリは、防水密封カバー、端部蓋、防水シリコンシート、および端部蓋板を有する。防水密封カバー、端部蓋、防水シリコンシート、および端部蓋板は、中心に貫通穴が設けられている。線の端部は、貫通穴から貫通し、駆動カバー内に入り駆動装置と連結する。貫通穴は、いずれも周辺にネジ穴が形成されている。端部蓋は、ネジにより、防水密封カバーを駆動カバーの外部にロックする。端部蓋板は、ネジにより、端部蓋に連結されている。防水シリコンシートは、端部蓋と端部蓋板との間に挟まれている。
【０００７】
駆動カバーは、両端が開口されている筒状であり、開口の周辺に沿って複数の突出する取付柱が設置されている。防水密封カバーは、円周方向に沿って、取付柱を挿入可能な複数の取付穴が形成されており、防水密封カバーの周辺は、中間底面より突出する環状面が延伸しており、環状面と中間底面との間には透光カバーの縁部を挿入可能な環状凹部が一周形成されている。
【０００８】
端部蓋の下半部は、防水密封カバーを完全に塞ぐ腔体を構成する。端部蓋の上半部は、頂部から開口する中心収容腔を中心に設置されている。中心収容腔の底部は、線の端部が貫通可能な貫通穴が形成されている。中心収容腔は、周辺に沿って内側に窪む小収容腔及び複数のネジ穴が形成されている。小収容腔の底部は、下部の腔体と連通する貫通穴が形成されている。セルフタッピンねじの下端は、小収容腔内から貫通穴を貫通し、防水密封カバーの取付穴を貫通し、駆動カバーの取付柱に連結されており、端部蓋、防水密封カバー、及び駆動カバーを互いに連結する。
【０００９】
防水シリコンシートは、シート体の中心に線端が貫通する貫通穴が形成されており、貫通穴の縁部に沿って、シート体の二つの方向に上側突出環及び下側突出環が延伸されており、シート体の周辺において下側突出環の突出方向と同じ方向に沿って三つの密封柱が延伸されており、シート体の周辺において複数のネジ穴が形成されている。端部蓋板は、線端及び上側突出環が貫通するのに用いられる貫通穴が中心に設置されており、貫通穴の周囲に複数のネジ穴が形成されている。ねじは、端部蓋板、防水シリコンシートのネジ穴を貫通し、端部蓋のネジ穴に連結されており、防水シリコンシートを端部蓋板と端部蓋との間に挟まれるよう固定する。
【００１０】
ライト本体の呼吸器が設けられている一端に装着されている密封アセンブリは、防水密封カバー、端部蓋、防水シリコンシート、端部蓋板、六角ネジ、及び密封リングを含み、
防水密封カバー、端部蓋、防水シリコンシート、および端部蓋板は、いずれも中心部に、六角ネジの下端部が通過可能な貫通穴が形成されており、貫通穴の周辺にネジ穴が形成されている。六角ネジは、端部蓋板に設けられており、端部蓋板、防水シリコンシート、および端部蓋の中心の貫通穴を塞ぐ。
【００１１】
放熱体は、型材の三つのエッジの位置に、長手方向に延伸する貫通溝が形成されている。貫通溝はネジにより駆動カバーと連結されている。
【００１２】
透光カバーの内表面は、放熱体の三つのエッジと対応する位置に三組の突出リブが形成されており、各組の突出リブは、透光カバーの管体の長手方向に従って延伸する突出リブを二つ含む。放熱体の貫通溝は、二つの突出リブの間に係止されている。
【００１３】
ライト本体は、内部にＰＣＢパネルおよび蓄電池が設けられている。蓄電池は、外部の太陽エネルギパネルと連結されている。ＰＣＢパネルは、ＬＥＤ発光ダイオードと連結されている駆動チップ、並びに、駆動チップと連結されているＭＣＵおよびＧＰＳモジュールが設けられている。ＧＰＳモジュールは、アンテナを介して、ＧＰＳ航行衛星と遠隔通信を行う。
【００１４】
上述の技術を使用後、本考案は背景技術に比べ、以下のメリットを有する。
１．本考案では光効果の高いＬＥＤ発光ダイオードを使用し、ＬＥＤ発光ダイオードが発生する冷たい白い光は特殊な染色（黄色）高分子材料の色濾過処理後、蚊などの虫が好きな青光、紫光をろ過し、蚊などの虫が嫌いな特殊な波長の光を得て、蚊などの虫を駆除する効果を得る。農業に適用可能であり、環境に優しく無害な方法で害虫を駆除する目的を果たし、環境汚染を低減する。
２．本考案はライト本体の二つの端部蓋に防水シリコンシートが設けられており、外部の水が隙間からライト本体の内部に入ることを阻止することができる。
３．ライト本体は放熱体の異なる方向に向いている三つの側面に設置されており、３面発光体を構成し、前面的に光が出る効果を達成する。
４．本考案は、衛星による位置決めと時間受けにより、異なる経度及び緯度の複数の虫駆除ライトを同時に光らせ、太陽エネルギパネルにより給電する。
【図面の簡単な説明】
【００１５】
【図１】実用新型の全体構造を示す概略図である。
【図２】実用新型の透光カバーとライト本体の相分離を示す概略図である。
【図３】実用新型の接線一端を示す断面図である。
【図４】実用新型の接線一端に設置された密封アセンブリを示す分解図である。
【図５】実用新型の呼吸器を設置する一端を示す断面図である。
【図６】実用新型の呼吸器を設置する一端の密封アセンブリを示す分解図である。
【図７】実用新型のライト本体の中央を示す断面図である。
【図８】実用新型の発光のスペクトルを示す概略図である。
【図９】実用新型およびＧＰＳナビゲーション衛星遠距離通信の原理を示す概略図である。
【考案を実施するための形態】
【００１６】
本考案の目的、技術、および利点を明らかにするように、以下の図面および実施例を合わせ、本考案を詳細に説明する。ここで説明した具体的な実施例は、本考案を説明するだけであるが、本考案を限定するわけではない。
【００１７】
（実施例）
図１、２を参照する。本考案は一種の駆虫灯を関し、短冊形のライト本体１と外部でライト本体をかぶせる透光カバー２からなる。透光カバー２は黄色の短冊形の管体であり、ライト本体１の一端は呼吸器が設置されている。ライト本体１のほかの一端は線とつながる。線の一端は密封アセンブリ５とつながる。呼吸器の一端は密封アセンブリ６とつながる。透光カバー２は、黄色高分子材料に透明材料を加えプラスチック圧出成形方法で作られているカバーである。
【００１８】
図７に示すように、ライト本体１は、短冊形の放熱体１１、放熱体１１両端の駆動装置１２と放熱体１１に設置されたＬＥＤストリップ１３からなる。ＬＥＤストリップ１３の上にいくつかＬＥＤ発光ダイオードが設置されている。放熱体１１は中身が空であり、三角柱状に類似する型材を構成する。型材の型材の三つのエッジの位置に、長手方向に延伸する貫通溝１６が形成されている。ＬＥＤストリップ１３はそれぞれの三つの側面に設置され、三面発光体になる。ＬＥＤストリップ１３の両側に反射板１８が設置されている。
【００１９】
透光カバー２の内面と放熱体１１の三つのエッジに対応する位置に三組の突出リブが形成されている。突出リブには透光カバー２の管体の長手方向に延長した突出リブ２１が形成され、設置する時、放熱体１１の三つの貫通溝１６はそれぞれ突出リブ２１に挟まれ、透光カバー２の位置を固定し、透光カバーと内部のライト本体の相対回転を防ぐ。
【００２０】
ＬＥＤ発光ダイオードは透光カバー２を通して冷白光を放出する。透光カバー２はろ過する作用を果たす。波長４８０nm以下の光を取り除く（害虫が比較的に好きな青い光と紫の光を取り除く）。発光のスペクトルを５９０nmぐらいに集中させ、これは害虫が怖い波長である。スペクトルの特徴は波の頂点の幅が広い、取り除く害虫の種類も多く、含む範囲も広く、虫駆除効果もよい。
【００２１】
駆動装置１２は、放熱体１１の両端の駆動カバー１４と、駆動カバー１４に設置されたＰＣＢなどを有する。駆動カバー１４は両端開口の円筒であり、一端は開口の周辺のところにネジ１５を設置するためのネジ穴が３つ形成されている。ネジ１５は、ネジ穴を貫通して、放熱体のエッジの貫通溝１６とつながり、駆動カバー１４と放熱体１１の連結を実現する。そして駆動カバー１４の他端は開口周辺に沿って突出する取付柱１７が３つ設置されている。
【００２２】
図３、４を参照する。接続線の一端に設置された密封アセンブリ５は防水密封カバー５１、端部蓋５２、防水シリコンシート１５、端部蓋板５４からなる。防水密封カバー５１には円周の方向で３つの取付柱１７を挿すことができる取付穴５１１が形成されている。防水密封カバーの周辺は中央の底面より突出する環状面５１２が延伸されている。環状面５１２と中央底面の間に環状凹部が一周形成されている。防水密封カバー５１と駆動カバー１４はつながるとき、透光カバー２の縁部はちょうど環状凹部に差し込まれている。防水密封カバー５１の中心には線の端部７が通過できる貫通穴５１２が形成されている。
【００２３】
端部蓋５２の下半部は半防水密封カバーを完全に覆うことができる腔体５２１を構成する。端部蓋５２の上半部の中心は、頂上から開口の中心収容腔５２２が中心に設置されている。中心収容腔５２２の底部には線の端部７が通過できる貫通穴が形成されている。中心収容腔５２２の周辺に３つの内側に窪むの小収容腔５２３、３つのネジ穴５２４が設置されている。小収容腔５２３の底部には下部の腔体５２１とつながる貫通穴が形成されている。セルフタッピンネジ５５の下端は小収容腔５２３内部を通してそして防水密封カバー５１の取付穴５１１を通して、駆動カバー１４の取付柱１７とつながる。これにより、端部蓋５２と防水密封カバー５１と駆動カバー１４とがつながることになる。
【００２４】
防水シリコンシート５３はシート体の中心に線の端部７が通過する貫通穴が形成されている。貫通穴の縁部に沿って、シート体の２つの方向で上側突出環５３１と下側突出環５３２が延伸されている。シート体の周辺において下側突出環５３２の突出方向と同じ方向に沿って三つの密封柱５３３が延伸されている。シート体の周辺には３つのネジ穴５３４が設置され、貫通穴５４１の周辺には３つのネジ穴５４２が形成されている。ネジ５６は、ネジ穴５２４、防水シリコンシート５３のネジ穴５３４を通過して、端部蓋５２のでネジ穴５２４とつながる。それによって、防水シリコンシート５３はしっかりと端部蓋５２と端部蓋板５４の間に固定されている。
【００２５】
防水シリコンシート５３は、ライト本体に対して密封防水機能を果たす。防水シリコンシート５３の下側凸環突出環５３２は、端部蓋５２の中心収容腔５２２内に充填されており、線の端部７は防水シリコンシート５３の中間から貫通する。防水シリコンシート５３は端部蓋５２の壁面により圧迫され圧縮される。よって中心に向いて線の端部７を圧迫し、線の端部７を緊密に挟み固定する。防水シリコンシート５３の三つの密封柱５３３は頂部からネジが取り付けられている小収容腔５２３を塞ぐ。上側突出環５３１は、端部蓋５４の貫通穴を伸出し、線の端部７の線が出る部分を覆い、外部の水がネジ穴と線の間の隙間からライトストリップ内に入ることを阻止し、良い防水作用を果たす。
【００２６】
図５、６を参照する。呼吸器の一端に設置されている密封アセンブリ６は防水密封カバー６１、端部蓋６２、防水シリコンシート６３及び端部蓋板６４からなる。設置方式は接線端の設置方式と同じである。違うところは、呼吸器の一端には、六角ネジ６５、密封リング６６が接続されている。端部蓋６２の中心は収容腔がなく、中心に六角ネジ６５の下端が通過できる貫通穴しかない。防水シリコンシート６３も端部蓋６４も中心に六角ネジ６５下端が通過できる貫通穴６３１、６３４しかない。防水シリコンカバー６１、端部蓋６２、防水シリコンシート６３、端部蓋６４はネジにより連結された後、六角ネジ６３は、端部蓋６４に設置されており、エンドカバー６４、防水シリコンシート６３、端部蓋６２の中央の貫通穴を塞ぎ、密封の効果を果たす。
【００２７】
研究の結果によると、単なる特別な光源で害虫を追い払うことは不十分である。理想的な効果を果たすために駆虫灯を一定の周波数で輝かせるべきである。そしていくつかの駆虫灯を同時に同じ周波数で輝かせることが必要である。本考案は衛星による位置決めよって違う経緯度のいくつかの駆虫灯を同時に輝かせることをコントロールできる。そして太陽エネルギパネルによって電力を提供する。図９を参照する。駆動カバー１４の中にＰＣＢ板とバッテリーが設置されている。ＰＣＢ板には駆動チップ、ＭＣＵとＧＰＳモジュールが設置されている。ＭＣＵには予め設定されたコントロールプログラムを有する。ＭＣＵが作動する時ＭＣＵはＧＰＳモジュールに調査指令を下す。ＧＰＳモジュールはアンテナとＧＰＳナビを通じてＧＰＳデータを獲得する。このデータに経緯度、時間を正確にする情報が含まれる。そしてＧＰＳは獲得したデータをＭＣＵに伝える。ＭＣＵはデータを処理し、ＧＰＳの時間を正確にする情報によって同時に違う場所にある駆虫灯をコントロールし、同時にＰＷＭ信号を駆動チップに輸出し、駆動チップとつながるライト本体を光らせ、毎個のライト本体は設定通りので周波数で光る。周波数はＰＷＭ信号の空中比率によって設定する。
【００２８】
上述の内容は本考案の優秀で具体的な実施例であるが、本考案の保護範囲は限られていない。この技術に詳しい者は本考案が披露した技術範囲の内で行う簡単な変化や置換は本実用新型の範囲に含まれる。このゆえ、本考案の保護範囲は実用新案登録請求の範囲を基準とするべきである。 
【図１】
0003215682.tif 000003
【図２】
0003215682.tif 000004
【図３】
0003215682.tif 000005
【図４】
0003215682.tif 000006
【図５】
0003215682.tif 000007
【図６】
0003215682.tif 000008
【図７】
0003215682.tif 000009
【図８】
0003215682.tif 000010
【図９】
0003215682.tif 000011